(57)【要約】【課題】監視情報を早くかつ正確に外部に伝送できると共に、監視情報の漏洩を抑制できるセキュリティ面の向上を図ることができる監視システムを提供することにある。【解決手段】監視装置１０、ネットワーク３１及びＷｅｂサーバ３２を有する監視システムにおいて、Ｗｅｂサーバ３２とは非接続の監視装置１０は、監視情報を２次元コード情報２００として表示装置１５の画面１５０上に表示する。携帯電話３０は、画面１５０上からカメラにより２次元コード情報２００を読み取り、ネットワーク３１を介してＷｅｂサーバ３２に伝送する。【選択図】図２
2011166295.tif 000002
【特許請求の範囲】
【請求項１】
監視情報を表示装置の画面上に表示する手段と、
前記画面上に表示された監視情報に対応する画面情報をテキスト情報に変換する手段と、
前記テキスト情報を含む２次元コード情報を作成する手段とを含み、伝送先の外部装置とは非接続の監視装置を有し、
前記監視装置から前記２次元コード情報を取得し、前記外部装置に伝送する情報伝送手段を具備したことを特徴とする監視システム。
【請求項２】
前記監視装置は、前記２次元コード情報を前記画面上に表示する手段を含み、
前記情報伝送手段は、前記画面上に表示された前記２次元コード情報を読み取り、前記２次元コード情報に含まれる伝送先を指定する情報に基づいて前記外部装置に伝送するように構成されていることを特徴とする請求項１に記載の監視システム。
【請求項３】
前記情報伝送手段は、
前記外部装置とネットワークを介して接続可能な手段を含み、
前記２次元コード情報に含まれる伝送先を指定する情報に基づいて、前記ネットワークを介して接続した外部装置に前記２次元コード情報を伝送するように構成されていることを特徴とする請求項１又は請求項２のいずれか１項に記載の監視システム。
【請求項４】
前記監視装置は、
前記２次元コード情報としてＱＲコード情報を作成する手段を含む構成であることを特徴とする請求項１から請求項３のいずれか１項に記載の監視システム。
【請求項５】
前記情報伝送手段は、
前記画面上に表示された前記２次元コード情報を読み取る機能を有する携帯電話または携帯端末であることを特徴とする請求項２に記載の監視システム。
【請求項６】
前記外部装置は、
ネットワークに接続されているＷｅｂサーバであり、
前記情報伝送手段から伝送された前記２次元コード情報を保存し、
指定の配信先が前記ネットワークを介して前記２次元コード情報を閲覧するための情報を、前記配信先に前記ネットワークを介して配信するように構成されていることを特徴とする請求項１から請求項５のいずれか１項に記載の監視システム。
【請求項７】
前記外部装置は、
ネットワークに接続されているＷｅｂサーバであり、
前記情報伝送手段から伝送された前記２次元コード情報を保存し、
指定の配信先に電子メールを送信するためのメールアドレスを取得し、
前記ネットワークを介して前記２次元コード情報を閲覧するためのＵＲＬ情報を、前記メールアドレスを使用して電子メールで配信するように構成されていることを特徴とする請求項１から請求項５のいずれか１項に記載の監視システム。
【請求項８】
監視情報を表示装置の画面上に表示する手段と、
前記画面上に表示された監視情報に対応する画面情報をテキスト情報に変換する手段と、
前記テキスト情報及び伝送先の外部装置を指定するためのＵＲＬ情報を含む２次元コード情報を作成する手段と、
前記２次元コード情報を携帯端末で読み取り可能であるように、前記２次元コード情報を前記画面上に表示する手段と
を具備したことを特徴とする監視装置。
【請求項９】
前記サーバとは非接続の監視装置により作成された監視情報を前記サーバに伝送する伝送方法であって、
前記監視装置は、
前記監視情報を表示装置の画面上に表示する処理と、
前記画面上に表示された監視情報に対応する画面情報をテキスト情報に変換する処理と、
前記テキスト情報を含む２次元コード情報を作成する処理とを実行し、
前記監視装置とは異なる携帯端末は、
前記監視装置から前記２次元コード情報を撮影により読み取る処理と、
読み取った前記２次元コード情報をネットワークを介して前記サーバに伝送する処理とを実行することを特徴とする監視情報の伝送方法。
【請求項１０】
前記サーバは、
前記携帯端末から伝送された前記２次元コード情報を保存する処理と、
指定の配信先がネットワークを介して前記２次元コード情報を閲覧するための情報を、前記配信先に前記ネットワークを介して配信する処理と
を実行することを特徴とする請求項９に記載の監視情報の伝送方法。
【請求項１１】
前記サーバは、
前記情報伝送手段から伝送された前記２次元コード情報を保存する処理と、
指定の配信先に電子メールを送信するためのメールアドレスを取得する処理と、
前記ネットワークを介して前記２次元コード情報を閲覧するためのＵＲＬ情報を、前記メールアドレスを使用して電子メールで配信する処理と
を実行することを特徴とする請求項９に記載の監視情報の伝送方法。
【発明の詳細な説明】
【技術分野】
【０００１】
本発明は、監視情報を外部に伝送する監視システムに関し、特に画面情報の伝送技術に関する。
【背景技術】
【０００２】
近年、例えばプラント、工場、ビルなどに設置されている電力系統や各種機器の状態を監視し、監視情報を作成して出力する監視システムの開発が推進されている。
【０００３】
監視システムでは、作成した監視情報を外部に伝送する方法として、例えばディスクやＩＣメモリなどの記録媒体に監視情報を保存して当該記録媒体を持参する方法や、監視情報を印刷出力してプリントした用紙をＦＡＸで伝送する方法、当該用紙上をスキャナーで読み取り電子メールで送信する方法、あるいは端末装置の表示画面上に表示された画面情報を携帯電話などを使用して口頭で伝える方法などがある。
【０００４】
このような監視情報の伝送方法では、以下のような問題がある。即ち、記録媒体を持参する方法は、当該記録媒体を予め準備しておく必要があり、緊急時には祖の準備が間に合わない可能性が高い。また、記録媒体を持参する場合に、紛失や置忘れなどの発生の可能性がある。
【０００５】
プリントした用紙をＦＡＸで伝送する方法は、ＦＡＸの解像度が低い場合には、監視情報の一部が読み取れない可能性がある。スキャナーで読み取り電子メールで送信する方法は、スキャナーの解像度が低い場合には、監視情報の一部が読み取れない可能性がある。また、電子メールでの送信では、送信側の端末装置と受信側のサーバなどはネットワークを介して接続しているため、送信される監視情報が漏洩する危険性がある。さらに、口頭で伝える方法は、監視情報の情報量が多い場合には、相手に伝えるための時間がかかり、また誤った情報を伝える可能性も高い。
【０００６】
前述の各方法では、特に障害が発生して、監視情報を早くかつ正確に関係者に伝える方法としては不十分である。そこで、このような要求を満たす方法として、Ｗｅｂサーバによりネットワークを介して、監視情報を関係者に配信する先行技術が提案されている（例えば、特許文献１を参照）。
【先行技術文献】
【特許文献】
【０００７】
【特許文献１】特開２００３−５１８９５号公報
【発明の概要】
【発明が解決しようとする課題】
【０００８】
前述の先行技術の方法であれば、監視情報を早くかつ正確に関係者の携帯端末（ＰＤＡ）に伝送することが可能である。しかしながら、先行技術の方法では、Ｗｅｂサーバと関係者の携帯端末とは、ネットワーク（インターネット）を介して接続される状態であるため、送信される監視情報が漏洩する可能性が高くなるセキュリティ面の問題がある。
【０００９】
そこで、本発明の目的は、監視情報を早くかつ正確に外部に伝送できると共に、監視情報の漏洩を抑制できるセキュリティ面の向上を図ることができる監視システムを提供することにある。
【課題を解決するための手段】
【００１０】
本発明の観点は、サーバなどの外部装置とは非接続の監視装置により作成された監視情報を、外部装置に伝送する情報伝送手段を有する監視システムである。
【００１１】
本発明の観点に従った監視システムは、監視情報を表示装置の画面上に表示する手段と、前記画面上に表示された監視情報に対応する画面情報をテキスト情報に変換する手段と、前記テキスト情報を含む２次元コード情報を作成する手段とを含み、伝送先の外部装置とは非接続の監視装置を有し、前記監視装置から前記２次元コード情報を取得し、前記外部装置に伝送する情報伝送手段を備えた構成である。
【発明の効果】
【００１２】
本発明によれば、監視情報を早くかつ正確に外部に伝送できると共に、監視情報の漏洩を抑制できるセキュリティ面の向上を図ることができる。
【図面の簡単な説明】
【００１３】
【図１】本発明の実施形態に関する監視装置の構成を説明するためのブロック図。
【図２】本実施形態に関する監視システムの構成を説明するための図。
【図３】本実施形態に関する監視装置の画面情報の一例を示す図。
【図４】本実施形態に関する画面情報のテキスト化を説明するための図。
【図５】本実施形態に関する画面情報のテキスト化を説明するための図。
【図６】本実施形態に関する２次元コード情報の作成処理を説明するための図。
【図７】本実施形態に関する監視情報の伝送処理を説明するためのフローチャート。
【発明を実施するための最良の形態】
【００１４】
以下図面を参照して、本発明の実施形態を説明する。
【００１５】
［監視装置及び監視システムの構成］
図１は、本実施形態に関する監視装置の要部を示す図である。また、図２は、本実施形態に関する監視システムの構成を説明するための図である。
【００１６】
本実施形態の監視装置１０は、プラント、工場、ビルなどに設置されて、例えば電力系統の各種機器の状態を監視する装置である。図１に示すように、監視装置１０は、中央処理部（ＣＰＵ）１１と、通信装置１４と、表示装置１５と、入力装置１６と、記憶装置１７とを有する。
【００１７】
ＣＰＵ１１は、予め設定されるソフトウェアにより監視情報処理部１２及びＱＲコード作成部１３の各機能を実行する。監視情報処理部１２は、通信装置１４を介して収集した監視情報を所定の形式で処理し、表示装置１５の画面上に表示する画面情報を作成する。ＱＲコード作成部１３は、後述するように、表示装置１５の画面上に表示された画面情報をテキスト情報に変換し、２次元コード情報である例えばＱＲ（quik response）コード情報（パターン）を作成する。
【００１８】
通信装置１４は、例えばＬＡＮなどのネットワークに接続されており、例えば電力系統の監視対象機器２０から送信される監視情報を受信し、かつ監視対象機器２０に対して監視処理に必要な各種のコマンドなどを送信する。監視情報には、電流、電圧、電力量の計測値などを含む。
【００１９】
表示装置１５は、ＣＰＵ１１により制御されて、作成された画面情報やＱＲコード情報などを表示する画面を有する。入力装置１６は、オペレータからの各種のコマンド等の入力操作を行なうためキーボードやマウスである。記憶装置１７は、ＣＰＵ１１により制御されて、作成された画面情報やＱＲコード情報などを保存する。
【００２０】
図２は、図１に示す監視装置１０を含む監視システムの要部を示す図である。
【００２１】
図２に示すように、監視システムは、インターネットなどのネットワーク３１を介して接続される携帯端末（携帯電話など）３０と、サーバ３２と、監視情報の配信先端末４０とからなる。サーバ３２は、いわゆるＷｅｂサーバであり、携帯端末３０から送信された監視情報を受信してデータベース３３に保存し、かつデータベース３４に保存されている配布先メールアドレスを使用してアクセスされた配信先端末４０に対して電子メールを送信する。配信先端末４０は、パーソナルコンピュータなどからなる端末装置４１及び携帯端末（携帯電話など）４２を含む。
【００２２】
（監視システムの動作）
以下、図１及び図２を含めて、図３から図７のフローチャートを参照して、本実施形態の監視システムの動作を説明する。
【００２３】
まず、図７のフローチャートを参照して、監視装置１０の処理手順を説明する。
【００２４】
監視装置１０では、監視情報処理部１２は、通信装置１４を介して収集した監視情報を処理し、表示装置１５の画面上に表示する画面情報を作成する。図３に示すように、ＣＰＵ１１は、表示装置１５の画面１５０上に、作成した画面情報２２０を表示する（ステップＳ１）。画面情報２２０は、例えば監視情報を収集した日時、監視対象機器２０のデバイス名、内容、状態などの項目を含む。
【００２５】
ここで、図３に示すように、ＣＰＵ１１は、表示装置１５の画面１５０上に、監視情報の画面情報２２０と共に、ＱＲコード情報の作成指示のためのＱＲコード作成用ボタン２１０を表示する。ユーザ（またはオペレータ）は、画面１５０上をスクロールすることにより、作成された画面情報２２０を確認できる（ステップＳ２のＮＯ）。
【００２６】
一方、ユーザは、外部に送信すべきであると判断した画面情報２２０を選択すると、入力装置１６を操作して同一画面上のＱＲコード作成用ボタン２１０を押す（ステップＳ２のＹＥＳ）。ＱＲコード作成用ボタン２１０が押されると、ＱＲコード作成部１３は、図４に示すように、選択された画面情報２２０をテキスト情報に変換する。ここで、ＱＲコード作成部１３は、図５に示すように、画面情報２２０のテキスト情報に、送信先のＷｅｂサーバ３２のＵＲＬ（Uniform Resource Locator）、作成場所、画面名称、作成日、送信日付などの付加情報を付加する。
【００２７】
次に、ＱＲコード作成部１３は、テキスト情報及び付加情報に基づいて、２次元コード情報であるＱＲコード情報を作成する（ステップＳ３）。図６に示すように、ＣＰＵ１１は、作成されたＱＲコード情報２００のパターンを表示装置１５の画面１５０上に表示する（ステップＳ４）。なお、ＱＲコード情報２００のパターンは、変換対象の情報量に応じてサイズが増大する。ユーザは、図６に示すように、選択した画面情報２２０を含むＱＲコード情報２００が作成されたことを画面１５０上で確認できる。
【００２８】
さらに、ユーザは、携帯電話３０のカメラ（画像入力装置）を使用して、表示装置１５の画面１５０上に表示されたＱＲコード情報２００を読み取る（ステップＳ５のＹＥＳ）。ここで、携帯電話３０は、読み取り入力したＱＲコード情報２００から、ＵＲＬのＵＲＬ部とそれ以外の情報のデータ部とに分けて、ＵＲＬ部で指定されたＵＲＬのＷｅｂサーバ３２にネットワーク３１を介して接続する機能を有する。具体的には、携帯電話３０は、画面上に表示されたＵＲＬをアクセスされると、データ部の情報をＷｅｂサーバ３２に送信する（ステップＳ６）。このような携帯電話３０とＷｅｂサーバ３２間の情報通信は、ＣＧＩ（Common Gateway Interface）などのＷｅｂ技術により実現されている。
【００２９】
なお、携帯電話３０の中に予めＷｅｂサーバ３２のＵＲＬが登録されており、ユーザは、その登録されたＵＲＬを読み出して、データ部の送信処理を操作する方法でもよい（ステップＳ８）。この方法では、ＱＲコード情報２００には、ＵＲＬ以外のテキスト情報と付加情報のみが含まれている。
【００３０】
次に、Ｗｅｂサーバ３２は、ネットワーク３１を介して、携帯電話３０から送信されたデータ部からテキスト情報（テキスト化された監視画面情報）３００と付加情報を抽出して、データベース３３に保存する。
【００３１】
Ｗｅｂサーバ３２は、データベース３３に保存された監視画面情報３００を、閲覧するために必要なＵＲＬ（ランダムな文字列を含む）を作成する。このＵＲＬは、ＱＲコード情報２００に含まれる前述のＵＲＬとは別ものである。便宜的に、閲覧用ＵＲＬと表記する。
【００３２】
Ｗｅｂサーバ３２は、データベース３４に保存されている配布先メールアドレス群から、配信先端末４０のメールアドレスを抽出し、当該閲覧用ＵＲＬを含む電子メールをネットワーク３１を介して送信する。Ｗｅｂサーバ３２は、データベース３３に保存された監視画面情報３００にリンクされた配布先メールアドレスをデータベース３４から検索する。
【００３３】
配信先端末４０のユーザは、例えば携帯電話４２により、ネットワーク３１を介してＷｅｂサーバ３２からの電子メールを受信する。ユーザは、受信した電子メールに含まれる閲覧用ＵＲＬをアクセスし、ネットワーク３１を介してＷｅｂサーバ３２に接続する。これにより、ユーザは、携帯電話４２を介して、Ｗｅｂサーバ３２により検索されるデータベース３３に保存された監視画面情報３００を閲覧できる。なお、配信先端末４０のユーザは、例えばパーソナルコンピュータ４１により、ネットワーク３１を介してＷｅｂサーバ３２からの電子メールを受信し、データベース３３に保存された監視画面情報３００を閲覧してもよい。
【００３４】
以上のように本実施形態の監視システムであれば、監視装置１０のユーザは、画面１５０に表示された監視情報の画面情報２２０を、ネットワーク３１を介してＷｅｂサーバ３２に容易な操作手順で確実に伝送することができる。この場合、本実施形態では、ユーザは、例えば携帯電話３０を利用して、画面情報２２０をテキスト化してＱＲコード情報２００に変換してＷｅｂサーバ３２に送信できる。従って、監視情報を管理する監視装置１０は、直接的にはＷｅｂサーバ３２とは非接続状態で、監視情報をＷｅｂサーバ３２に伝送することができる。これにより、ネットワーク３１上で、監視装置１０から監視情報が漏洩するような事態を確実に防止することができる。従って、本実施形態であれば、監視装置１０とＷｅｂサーバ３２間で監視情報を伝送する上でのセキュリティ面の向上を図ることができる。
【００３５】
次に、本実施形態のシステムであれば、監視装置１０から伝送された監視情報は、Ｗｅｂサーバ３２により管理されて、複数の場所に存在する配信先端末４０に配信される。この場合、本実施形態であれば、Ｗｅｂサーバ３２は、当該監視情報を閲覧するための閲覧用ＵＲＬを任意に作成でき、あるいは当該閲覧用ＵＲＬを定期的に変更することが可能である。従って、無関係な外部の端末などから、当該監視情報を不正にアクセスすることを抑制できる。
【００３６】
さらに、本実施形態のシステムであれば、Ｗｅｂサーバ３２により管理されている監視情報を、パーソナルコンピュータなどの端末装置だけでなく、携帯電話などの携帯端末を使用して閲覧することが可能である。また、監視情報はＷｅｂサーバ３２により管理されるため、関係者はそれぞれ独自で監視情報を管理する必要はなく、任意のタイミングでＷｅｂサーバ３２にアクセスして監視情報を閲覧することができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３８】
１０…監視装置、１１…中央処理部（ＣＰＵ）、１２…監視情報処理部、
１３…ＱＲコード作成部、１４…通信装置、１５…表示装置、１６…入力装置、
１７…記憶装置、２０…監視対象機器、３０…携帯端末（携帯電話）、
３１…ネットワーク（インターネット）、３２…Ｗｅｂサーバ、
３３，３４…データベース、４０…配信先端末、
４１…端末装置（パーソナルコンピュータ）、４２…携帯端末（携帯電話）。
【図１】
2011166295.tif 000003
【図２】
2011166295.tif 000004
【図３】
2011166295.tif 000005
【図４】
2011166295.tif 000006
【図５】
2011166295.tif 000007
【図６】
2011166295.tif 000008
【図７】
2011166295.tif 000009